(57)【要約】【課題】コンパクトに収納可能であることに加え、使用頻度が多くなった場合でも、使用者の体温を効率的に高めることができる輻射熱利用寝具を提供する。【解決手段】輻射熱利用寝具１は、任意形状の嚢体２を有し、この嚢体２の設置面と接触する領域に、アルミホイル等輻射熱に対して高反射率の素材を有する遮熱シート４を備え、人体からの輻射熱を遮熱シート４によって、人体側に反射させる構成をとる。【選択図】図１
0003217360.tif 000002
【実用新案登録請求の範囲】
【請求項１】
任意形状の嚢体を有する輻射熱利用寝具であって、
前記嚢体の設置面と接触する領域に、アルミホイル等輻射熱に対して高反射率の素材を有する遮熱体を備え、
人体からの輻射熱を前記遮熱体によって、前記人体の側に反射させる、
ことを特徴とする輻射熱利用寝具。
【請求項２】
遮熱体脱着部材によって、前記嚢体の設置面と接触する領域に、前記遮熱体が設けられる、
ことを特徴とする請求項１に記載の輻射熱利用寝具。
【請求項３】
所定の形状に折り畳み可能である、
ことを特徴とする請求項１又は請求項２に記載の輻射熱利用寝具。
【請求項４】
前記嚢体の外側と内側を連通する吸排気部を有し、
前記嚢体は、おもて面とうら面とが密着されることで形成された密着部によって区画された膨張部を複数備え、
前記吸排気部から前記嚢体の内側に空気を入れることで、前記膨張部に空気が貯留される、
ことを特徴とする請求項１から請求項３の何れか１項に記載の輻射熱利用寝具。
【請求項５】
前記遮熱体がシート状である、
ことを特徴とする請求項１から請求項４の何れか１項に記載の輻射熱利用寝具。
【考案の詳細な説明】
【技術分野】
【０００１】
本考案は、収納に便利なサイズに折り畳むことができると共に、人体から放射される輻射熱を利用して、人体の体温を効率的に保温できる輻射熱利用寝具に関する。
【背景技術】
【０００２】
就寝時に用いる寝具として、綿布団や羽毛布団が一般的に使用されている。しかし、室温が低い冬期には、十分な保温効果が得られない場合がある。
従来、十分な保温効果を得る寝具として、ポリエステル布帛の表面に、スパッタリング加工によりチタン膜を形成した寝具が提案されている（例えば、特許文献１）。
特許文献１の寝具は、チタン膜が形成された布帛の表面が使用者の身体側となるように配置させることで、チタン膜が身体から放射される熱を蓄熱し、保温効果を高めている。このように、保温効果を高めることで、長時間温度を低下させることなく、使用者は快適に就寝できる。
【先行技術文献】
【特許文献】
【０００３】
【特許文献１】特開２００４−８２２９号公報
【考案の概要】
【考案が解決しようとする課題】
【０００４】
スパッタリング加工は、真空中で不活性ガス（例えば、アルゴンガス）を導入しながら対象物と成膜させるターゲット（例えば、チタン）との間に直流高電圧を印加し、イオン化したアルゴンガスをチタンに衝突させて、はじき飛ばされたチタンを対象物に成膜する方法である。そのため、スパッタリング加工を実施する特許文献１の寝具を作製する場合、布帛を真空環境下に設置しなければならず、大きな手間が生じる。さらに、スパッタリング加工を実施するためには、大型の装置を必要とすることに加え、高電圧を必要とするため、コストもかかる。
また、スパッタリングされたチタンは、寝具の素材繊維（例えば、ポリエステル、ナイロン、ポリエチレン）の最表面に成膜されるため、寝具の使用頻度が多くなるにつれ、チタン膜が素材繊維から剥がれ、所望の保温効果が得られないおそれがある。
【０００５】
また、災害時に使用される簡易型の寝具や、山登りで使用するテントの中で利用される寝具には、保温効果を有すると共に、コンパクトに収納でき、さらに持ち運びに便利であるものも求められている。
【０００６】
そこで、本考案は、使用頻度が多くなった場合でも、使用者の体温を効率的に高めることができる輻射熱利用寝具を提供することを目的とする。
【課題を解決するための手段】
【０００７】
本考案に係る輻射熱利用寝具は、任意形状の嚢体を有し、嚢体の設置面と接触する領域に、アルミホイル等輻射熱に対して高反射率の素材を有する遮熱体を備え、人体からの輻射熱を遮熱体によって、人体側に反射させることを特徴とする。
【０００８】
本考案に係る輻射熱利用寝具は、遮熱体脱着部材によって、嚢体の設置面と接触する領域に遮熱体が設けられることを特徴とする。
【０００９】
本考案に係る輻射熱利用寝具は、所定の形状に折り畳み可能であることを特徴とする。
【００１０】
本考案に係る輻射熱利用寝具は、嚢体の外側と内側を連通する吸排気部を有し、嚢体は、おもて面とうら面とが密着されることで形成された密着部によって区画された膨張部を複数備え、吸排気部から嚢体の内側に空気を入れることで、膨張部に空気が貯留されることを特徴とする。
【００１１】
本考案に係る輻射熱利用寝具は、遮熱体がシート状であることを特徴とする。
【考案の効果】
【００１２】
本考案に係る輻射熱利用寝具は、嚢体の設置面と接触する領域に、アルミホイル等輻射熱に対して高反射率の素材を有する遮熱体を備える。そのため、輻射熱利用寝具に横臥した使用者の人体から放出された輻射熱を遮熱体によって、人体側に反射させることができる。そうすると、反射された輻射熱は人体側に戻り、輻射熱利用寝具の保温効果を高めることができる。
【００１３】
さらに、本考案に係る輻射熱利用寝具は、遮熱体脱着部材によって、嚢体の設置面を接触する領域に遮熱体が設けられる。そのため、例えば、劣化により、遮熱体の遮熱効果が低下した場合、その遮熱体を取り外し、新しい遮熱体を取り付けることができる。そうすると、輻射熱利用寝具の使用頻度が多くなった場合でも、就寝時の体温を効率的に高める効果を失わずにすむ。
【図面の簡単な説明】
【００１４】
【図１】本考案の第一実施形態に係る輻射熱利用寝具を示す図である。（ａ）背面斜視図、（ｂ）使用者が輻射熱利用寝具の上に横臥した状態を示す図、（ｃ）輻射熱利用寝具の折り畳み動作説明図
【図２】本考案に係る輻射熱利用寝具に設ける遮熱体の断面図である。
【図３】本考案の第一実施形態に係る輻射熱利用寝具の他の例を示す図である。（ａ）斜視図、（ｂ）他の例の輻射熱利用寝具の折り畳み動作の説明図
【図４】本考案の第二実施形態に係る輻射熱利用寝具を示す図である。（ａ）背面図、（ｂ）使用者が輻射熱利用寝具の上に横臥した状態を示す図
【図５】本考案の第二実施形態に係る輻射熱利用寝具の他の例を示す図である。（ａ）背面図、（ｂ）使用者が輻射熱利用寝具の上に横臥した状態を示す図
【考案を実施するための形態】
【００１５】
［第一実施形態］
本実施形態に係る輻射熱利用寝具を、図１から図３を参照し説明する。本実施形態に係る輻射熱利用寝具は、ベッド型や寝袋型のもの含むものである。本実施形態では、ベッド型の輻射熱利用寝具を例に説明する。
【００１６】
輻射熱利用寝具１（以下、寝具１とも記す。）は、図１（ａ）に示すように、矩形状の嚢体２と、この嚢体２の下面２Ｂに複数設けられた遮熱体脱着部材としての面ファスナ３と、この面ファスナ３に脱着可能に取り付けられた遮熱体としての遮熱シート４とを備えている。この寝具１は、嚢体２の上面２Ａに使用者Ｈが横臥することで使用される。
本実施形態において、下面２Ｂとは、図１（ｂ）に示すように、寝具１が設置面と接触する側の面を意味し、上面２Ａは横臥する使用者Ｈと接触する側を意味するものとする。
【００１７】
嚢体２は、例えば、防水性のあるポリ塩化ビニルの樹脂素材や防水処理された布で構成され、第一収納部５と、第一連結部５Ａによって第一収納部５と連結された第二収納部６と、第二連結部６Ａによって第二収納部６と連結された第三収納部７と、第三連結部７Ａによって第三収納部７と連結された第四収納部８とを備えている。第一収納部５から第四収納部８は、ほぼ同じサイズに設計されている（図１（ａ））。
これら第一収納部５から第四収納部８には、四角板状のマット状のスポンジが収納されている。また、第一連結部５Ａから第三連結部７Ａは、図１（ｃ）に示すように、それぞれ一方向に折り畳むことができる構成となっている。
【００１８】
遮熱シート４は、矩形状であり、嚢体２の下面２Ｂ全体を被覆するサイズに設計されている。この遮熱シート４は、図２に示すように、可撓性シート１０と、この可撓性シート１０のおもて面及びうら面にポリエチレンの溶着層１１を介して、熱融着されたアルミホイル等輻射熱に対して高反射の素材からなる遮熱層１２とを備えている。可撓性シート１０には、例えば、弾性力が大きい発泡ウレタンを使用することができる。この遮熱シート４の厚みは、０．２ｍｍから１０ｍｍとすることで、持ち運びに負担を感じない程度に軽量化が可能である。また、遮熱シート４のおもて面には、面ファスナ１３が設けられている。
遮熱シート４は、嚢体２を広げた状態で、嚢体２の面ファスナ３に面ファスナ１３を重ね合わせ、嚢体２に取り付けられる。
【００１９】
次に、本実施形態に係る寝具１の作用効果について説明する。
【００２０】
本実施形態に係る寝具１では、嚢体２の下面２Ｂに遮熱シート４が設けられている。そのため、寝具１に横臥した使用者Ｈから放射される輻射熱は、遮熱シート４によって、使用者Ｈの人体側に反射され、反射された輻射熱は人体側に戻る。したがって、寝具１のおもて面２Ａを温かく保つことができ、寝具１の使用者Ｈの人体を効率よく温めることができる。
【００２１】
本実施形態に係る寝具１は、面ファスナ３を介して、遮熱シート４を嚢体２に取り付けたり、取り外したりすることができる。そのため、寝具１の使用頻度が多くなり、遮熱シート４の遮熱機能が低下した場合でも、新しい遮熱シート４と容易に交換することができる。したがって、寝具１の使用頻度が多くなった場合でも、遮熱効果を低下させることなく、寝具１の保温効果を高めることができる。
【００２２】
また、本実施形態に係る寝具１は、収納部同士の間には、折り畳み可能な連結部を有している。そのため、使用しない場合、所定のサイズ（コンパクトなサイズ）に折り畳むことができる。したがって、寝具１は、収納する際に、広い収納空間を必要とせず、狭い収納空間にも収納することができ。そして、コンパクトなサイズに折り畳むことができるため、持ち運びもしやすい。
なお、所定のサイズに折り畳まれた寝具１は、椅子のクッションマットとして使用することもできる。
【００２３】
本実施形態に係る寝具１において、遮熱シート４は、嚢体２の下面２Ｂの全面ではなく、一部分に設けることもできる。例えば、使用者Ｈの身体が冷え性の場合、使用者Ｈの足を乗せる位置にのみ遮熱シート４を取り付ける。そうすることで、足部分を重点的に保温することができ、使用者Ｈは快適に就寝できる。
【００２４】
また、寝具１の嚢体２は、防水性のある素材で構成されているため、湿った地面に敷いて使用することもでき、屋外での利用する場合にも適している。
【００２５】
［他の例］
上記した例以外にも、寝具１は、図３（ａ）に示すように、嚢体２の第一連結部５Ａと第三連結部７Ａを同じ側（図３（ａ）において上面側）に設けると共に、第二連結部６Ａは反対側（図３（ａ）において下面側）に設ける構成とすることもできる。この他、図３（ｂ）に示すように、ハンカチを折り畳むように縦折りと横折りで畳む構成としてもよい。
この寝具１の場合、遮熱シート４は、分割されて、下面２Ｂに取り付けられる。
【００２６】
［第二実施形態］
本実施形態に係る寝具１は、嚢体２の内部に空気を入れ、膨縮可能なエアマット状に構成されている点で、第一実施形態に係る寝具１と主として相違する。以下、同じ構成については、同じ符号を付し、説明を省略し、相違する部分を中心に説明する。
【００２７】
本実施形態に係る寝具１に使用する嚢体２は、気密性の高い素材、例えば、軟質ＰＶＣ樹脂で構成され、図４に示すように、おもて面２Ａとうら面２Ｂとが密着されて形成された密着部２０によって区画された複数の膨張部（収納部）２１を備えている。
密着部２０は、矩形状であり、短手方向Ｘにおける幅Ｗ１を二分割する位置に、長手方向Ｙに沿って４つ形成され、さらに、長手方向Ｙにおける幅Ｗ２を四分割する位置に、短手方向Ｘに沿って２つずつ形成されている。これらの密着部２０を形成することで、膨張部２１が区画され、本実施形態の嚢体２では、８つの膨張部２１が形成されている（図４（ａ））。また、各膨張部２１には、四隅に面ファスナ３がそれぞれ設けられている。
これら８つ膨張部２１は、密着部２０により完全に区画されておらず、隣接する膨張部２１同士は、密着部２０の間に生じる空隙を介して連通している。
【００２８】
嚢体２には、嚢体２の内側と外側を連通する吸排気部２２が設けられている。膨張部２１は、空気の収納部として機能し、この吸排気部２２を介して、嚢体２の内部に空気を入れることで、膨張部２１が膨らみ、膨張部２１の内部に空気が貯留される。
各膨張部２１は、空隙を介して連通しているため、吸排気部２２から膨張部２１に空気を入れると、８つの膨張部２１に空気が送り込まれ、嚢体２全体が膨張する。膨張部２１は、側面視するとカプセル状となっている（図４（ｂ））。
このように膨張部２１に空気を入れることで、嚢体２は、全体が膨張し、エアーベット（寝具）となる。遮熱シート４は、嚢体２を膨張させた後、その下面２Ｂに取り付けられる。
【００２９】
次に、本実施形態に係る寝具１の作用効果について説明する。
【００３０】
本実施形態に係る寝具１は、未使用時、嚢体２（膨張部２１）から空気を抜いて、コンパクトに折り畳める。この寝具１は、折り畳むとハンドバックや上着のポケットに入るサイズまで折り畳める。そのため、持ち運びに便利であることに加え、広い保管場所を確保する必要がない。
したがって、寝具１は、狭い保管場所でも多量に保管することができ、災害時の緊急簡易型の寝具として使用できる。
【００３１】
本実施形態に係る寝具１は、膨張部２１の厚みを変更することで、膨張部２１に貯留される空気の量を調整できる。そのため、クッション性を自在に変更でき、使用者Ｈの体型や用途に合った寝具１を提供できる。
なお、寝具１は、空気を抜いた状態でも、平坦であるため、空気を抜いた状態でも寝具として使用することもできる。
【００３２】
［他の例］
図５は、嚢体２に空気を入れて使用する寝具１の他の例を示している。
他の例の寝具１の膨張部２１は、空気を入れた状態で、側面が四角錐台形状となるように設計されている。
この寝具１は、膨張部２１の上面２Ａの高さ位置が同じであり、湾曲している部分がない。そのため、他の例の寝具１は、より扁平な寝具を好む使用者Ｈに好適である。
なお、頭を載せる位置の膨張部２１のみが高くなるように設計し、その膨出部２１を枕代わりに使用することもできる。
【００３３】
以上、本実施形態について説明したが、これ以外にも、本考案の主旨を逸脱しない限り、上記実施の形態で挙げた構成を取捨選択したり、他の構成に適宜変更することが可能である。
本実施形態では、遮熱シート４が取り付けられた嚢体２について説明したが、遮熱シート４を設置面に敷き、遮熱シート４の上側から嚢体２を設置して使用することもできる。この場合でも、横臥した使用者Ｈから放射される輻射熱を利用して、寝具の保温効果を高めることができる。
【００３４】
また、本実施形態では、遮熱体取付部材として面ファスナ３（１３）を使用したが、嚢体２に対し遮熱体を取り付けることができるものであれば、面ファスナ３（１３）に限定されない。例えば、嚢体２に雄型のスナップボタン、遮熱シート４に雌型のスナップボタンをそれぞれ設け、これらを連結することで、遮熱シート４を嚢体２に取り付けたり、両面テープによって取り付けたりすることができる。
【００３５】
また、嚢体２の下面２Ｂに設ける遮熱シート４は、嚢体２全体を覆うサイズであっても、あるいは、分割して、膨張部２１に対応するサイズであってもよい。
第二実施形態において、遮熱シート４は、嚢体２（膨張部２１）に取り付けてから空気を入れ、エアーベットとしてもよい。
【符号の説明】
【００３６】
１      輻射熱利用寝具（寝具）
２      嚢体
２Ａ    おもて面
２Ｂ    うら面
３      面ファスナ（遮熱体接続部材）
４      遮熱シート（遮熱体）
５      第一収納部
５Ａ    第一連結部
６      第二収納部
６Ａ    第二連結部
７      第三収納部
７Ａ    第三連結部
８      第四収納部
１０    可撓性シート
１１    溶着層
１２    遮熱層
１３    面ファスナ
２０    密着部
２１    膨張部（収納部）
２２    吸排気部
Ｗ１，Ｗ２  幅
Ｘ      短手方向
Ｙ      長手方向
【図１】
0003217360.tif 000003
【図２】
0003217360.tif 000004
【図３】
0003217360.tif 000005
【図４】
0003217360.tif 000006
【図５】
0003217360.tif 000007